(57)【要約】【課題】安定した初期化放電を発生させることで高い画像表示品質を確保しながら、高い発光効率を達成できるプラズマディスプレイ装置の駆動方法を提供する。【解決手段】初期化期間の前半部では、スキャン電極Ｓｃｎに対し、データ電極Ｄａｔとの間で放電開始電圧以上となる正極性の電圧を印加し、これに続く、初期化期間の後半部では、スキャン電極Ｓｃｎに対し、１．０〜１０．０［Ｖ／μｓｅｃ．］の範囲の電圧変化率で電圧が降下する下り傾斜波形電圧を印加するとともに（電圧Ｖｉ３→電圧Ｖｉ４に降下する部分）、これと実質的に同時に、サスティン電極Ｓｕｓに対しても、１．０〜１０．０［Ｖ／μｓｅｃ．］の範囲の電圧変化率で電圧が降下する下り傾斜波形電圧を印加する（電圧Ｖｉ１→電圧Ｖｉ４に降下する部分）。【選択図】図６
2008170733.tif 000002
【特許請求の範囲】
【請求項１】
スキャン電極およびサスティン電極からなる表示電極対と、当該表示電極対に対し、放電空間を挟んで立体交差するデータ電極とを各々複数備え、前記表示電極対と前記データ電極との各立体交差部分に対応する箇所に放電セルが構成されてなるプラズマディスプレイパネルに対し、
それぞれ輝度重み付けされた複数のサブフィールドの組み合わせからなる１ＴＶフィールド期間に、前記放電セルの壁電荷状態の初期化を図る初期化期間を割り当ててなる方式を用いて表示駆動を実行させるプラズマディスプレイ装置の駆動方法であって、
前記初期化期間には、
前記スキャン電極に対し、前記データ電極との間で放電開始電圧以上となる正極性の電圧を印加する第１期間と、
当該第１期間の後に設定され、前記スキャン電極に対し、１．０Ｖ／μｓｅｃ．以上１０．０Ｖ／μｓｅｃ．以下の範囲の電圧変化率で電圧が降下する下り傾斜波形電圧を印加する第２期間とが含まれており、
前記第２期間においては、さらに前記サスティン電極に対しても、１．０Ｖ／μｓｅｃ．以上１０．０Ｖ／μｓｅｃ．以下の範囲の電圧変化率で電圧が降下する下り傾斜波形電圧を印加する
プラズマディスプレイ装置の駆動方法。
【請求項２】
前記第２期間では、
前記スキャン電極および前記サスティン電極の各々に対し、前記下り傾斜波形電圧として、前記データ電極との間の電圧が放電開始電圧未満から放電開始電圧以上となるまで前記電圧変化率で降下する波形の電圧を印加する
請求項１に記載のプラズマディスプレイ装置の駆動方法。
【請求項３】
前記第１期間では、
サスティン電極に対し、前記データ電極との間で放電開始電圧未満となる正極性の電圧を印加する
請求項１または２に記載のプラズマディスプレイ装置の駆動方法。
【請求項４】
前記第１期間では、
前記スキャン電極に対し、０．５Ｖ／μｓｅｃ．以上５．０Ｖ／μｓｅｃ．以下の範囲の電圧変化率で電圧が上昇する上り傾斜波形電圧を印加し、
且つ、前記サスティン電極に対し、０．５Ｖ／μｓｅｃ．以上５．０Ｖ／μｓｅｃ．以下の範囲の電圧変化率で電圧が上昇する上り傾斜波形電圧を印加する
請求項１に記載のプラズマディスプレイ装置の駆動方法。
【請求項５】
前記第１期間では、
前記スキャン電極および前記サスティン電極の各々に対し、前記上り傾斜波形電圧として、前記データ電極との間の電圧が放電開始電圧未満から放電開始電圧以上となるまで前記電圧変化率で上昇する波形の電圧を印加し、
前記第２期間では、
前記スキャン電極および前記サスティン電極の各々に対し、前記下り傾斜波形電圧として、前記データ電極との間の電圧が放電開始電圧未満から放電開始電圧以上となるまで前記電圧変化率で降下する波形の電圧を印加する
請求項４に記載のプラズマディスプレイ装置の駆動方法。
【請求項６】
前記第２期間において、前記スキャン電極に対する前記下り傾斜波形電圧と、前記サスティン電極に対する前記下り傾斜波形電圧とは、実質的に同一の波形である
請求項１から５の何れかに記載のプラズマディスプレイ装置の駆動方法。
【請求項７】
前記第２期間において、前記スキャン電極に対する前記下り傾斜波形電圧と、前記サスティン電極に対する前記下り傾斜波形電圧とは、実質的に同一のタイミングをもって印加される
請求項１から６の何れかに記載のプラズマディスプレイ装置の駆動方法。
【請求項８】
前記第１期間において、前記スキャン電極に対する前記上り傾斜波形電圧と、前記サスティン電極に対する前記上り傾斜波形電圧とは、実質的に同一の波形である
請求項４または５に記載のプラズマディスプレイ装置の駆動方法。
【請求項９】
前記第１期間において、前記スキャン電極に対する前記上り傾斜波形電圧と、前記サスティン電極に対する前記上り傾斜波形電圧とは、実質的に同一のタイミングをもって印加される
請求項４または５に記載のプラズマディスプレイ装置の駆動方法。
【請求項１０】
前記第１期間において、前記スキャン電極に対する前記放電開始電圧以上となる正極性の電圧と、前記サスティン電極に対する前記放電開始電圧未満となる正極性の電圧とは、実質的に同一のタイミングをもって印加される
請求項３に記載のプラズマディスプレイ装置の駆動方法。
【請求項１１】
前記初期化期間では、前記スキャン電極と前記サスティン電極との間での放電を生じさせず、且つ、前記スキャン電極と前記データ電極との間で初期化放電を生じさせる
請求項１から５の何れかに記載のプラズマディスプレイ装置の駆動方法。
【請求項１２】
前記初期化期間では、前記サスティン電極と前記データ電極との間で初期化放電を生じさせる
請求項１１に記載のプラズマディスプレイ装置の駆動方法。
【請求項１３】
スキャン電極およびサスティン電極からなる表示電極対と、当該表示電極対に対し、放電空間を挟んで立体交差するデータ電極とを各々複数備え、前記表示電極対と前記データ電極との各立体交差部分に対応する箇所に放電セルが構成されてなるプラズマディスプレイパネルと、
それぞれ輝度重み付けされた複数のサブフィールドの組み合わせからなる１ＴＶフィールド期間に、前記放電セルの壁電荷状態の初期化を図る初期化期間を割り当てられてなる方式を用いて前記プラズマディスプレイパネルの表示駆動を実行する表示駆動部とを備えるプラズマディスプレイ装置であって、
前記表示駆動部は、請求項１から１２の何れかの駆動方法をもって前記表示駆動を実行する
プラズマディスプレイ装置。
【発明の詳細な説明】
【技術分野】
【０００１】
本発明には、プラズマディスプレイ装置の駆動方法およびプラズマディスプレイ装置に関し、特に、サブフィールド法を用いた駆動の初期化期間に関する。
【背景技術】
【０００２】
プラズマディスプレイパネルとして代表的な交流面放電型プラズマディスプレイパネル（以下では、単に「ＰＤＰ」と記載する。）は、前面パネルと背面パネルとが互いに間隔をあけて対向配置され、外周部で封止され構成されている。そして、前面パネルと背面パネルとの間の空間には、例えば５［％]の分圧比でキセノン（Ｘｅ）を含む放電ガスが充填されている。
【０００３】
前面パネルは、前面ガラス基板の一方の主面にスキャン電極とサスティン電極とからなる表示電極対が複数並設されている。前面ガラス基板における表示電極対が形成された主面は、誘電体層および保護層により順に被覆されている。
一方、背面パネルは、背面ガラス基板における前面パネルと対向する側の主面に、複数のデータ電極が形成され、このデータ電極が形成された主面が、誘電体層により被覆されている。そして、誘電体層の表面上には、ストライプ状あるいは井桁状の隔壁が立設され、隔壁と誘電体層とにより構成される凹部の壁面上に蛍光体層が形成されている。なお、前面パネルと背面パネルとは、表示電極対とデータ電極とが立体交差する状態に配され、各立体交差部分が放電セルとなる。
【０００４】
プラズマディスプレイ装置は、上記ＰＤＰと、この各電極に対し接続されるドライバと、この各ドライバに対し接続され、装置に入力される画像信号に基づき、サブフィールド法を用いて駆動信号を出力する画像信号処理回路およびタイミング信号発生回路などから構成されている。
上記サブフィールド法を用いた駆動では、１フィールド期間を重み付けされた複数のサブフィールドに分割した上で、発光させるサブフィールドの組み合わせにより階調表示が実行される。そして、各サブフィールドには、初期化期間、書込み期間および維持期間が設定されている。初期化期間では、初期化放電の発生をもって全サブフィールドでの壁電荷の履歴消去および書込み動作のための壁電荷形成がなされる。
【０００５】
上記初期化期間における初期化放電は、例えば、スキャン電極に対し正の電圧変化率の傾斜波形電圧および負の電圧変化率の傾斜波形電圧を印加することにより発生される。
また、書込み期間では、発光させようとする放電セルで選択的に書込み放電を発生させ、壁電荷の形成が実行される。維持期間では、スキャン電極とサスティン電極とに対し、交互に維持パルスを印加することにより、書込み期間に壁電荷の形成が行われた放電セルで維持放電を生じさせる。
【０００６】
ＰＤＰでは、上記維持放電により発生する紫外線が、蛍光体層で可視光に変換されて前面パネルの側から出射されて、画像表示がなされる。
ところで、プラズマディスプレイ装置に対しては、パネルの大画面化、高精細化とともに、消費電力の低減を図りながら発光効率の向上が求められている。このため、プラズマディスプレイ装置の開発・設計においては、パネルの構造や材料、駆動方法など様々な取り組みがなされている。例えば、パネルにおける電極形状を変更し発光効率の向上を図ろうとする技術が開示されている（例えば、特許文献１）。この特許文献１では、表示電極対を構成するスキャン電極とサスティン電極との間のギャップを、それ以前の従来のパネルよりも長くし、これに適する駆動方法を採用するという技術が提案されている。
【特許文献１】特開２００１−５２６１８号公報
【発明の開示】
【発明が解決しようとする課題】
【０００７】
しかしながら、上記のように放電ギャップを長く設定したＰＤＰでは、放電開始電圧が高くなり、初期化放電に伴う輝度を抑制しながら、安定して初期化放電を発生させることが困難であるという問題を生じる。
また、発光効率の向上を図るべく放電ガス中におけるキセノンの分圧比を高くするという提案もされているが、このような技術を採用する場合には、初期化動作がさらに困難となり、安定した初期化放電を生じないという問題が生じる。このため、この技術を用いたＰＤＰでは、発光させるべき放電セルで発光しなかったり、発光させるべきではない放電セルで発光したりするなどの誤動作により画像表示品質が低下するなどの問題を生じることが考えられる。
【０００８】
本発明は、上記問題を解決しようとなされたものであって、安定した初期化放電を発生させることで高い画像表示品質を確保しながら、高い発光効率を達成できるプラズマディスプレイ装置の駆動方法を提供することを目的とする。
【課題を解決するための手段】
【０００９】
上記目的を達成するために、本発明は、次の構成を採用する。
本発明に係るプラズマディスプレイ装置の駆動方法は、スキャン電極およびサスティン電極からなる表示電極対と、当該表示電極対に対し、放電空間を挟んで立体交差するデータ電極とを各々複数備え、表示電極対とデータ電極との各立体交差部分に対応する箇所に放電セルが構成されてなるＰＤＰに対し、それぞれ輝度重み付けされた複数のサブフィールドの組み合わせからなる１ＴＶフィールドに、放電セルの壁電荷状態の初期化を図る初期化期間を割り当ててなる方式を用いて表示駆動を実行させる駆動方法であって、初期化期間には、スキャン電極に対し、データ電極との間で放電開始電圧以上となる正極性の電圧を印加する第１期間と、当該第１期間の後に設定され、スキャン電極に対し、１．０［Ｖ／μｓｅｃ．］以上１０．０［Ｖ／μｓｅｃ．］以下の範囲の電圧変化率で電圧が降下する下り傾斜波形電圧を印加する第２期間とが含まれており、第２期間においては、さらにサスティン電極に対しても、１．０［Ｖ／μｓｅｃ．］以上１０．０［Ｖ／μｓｅｃ．］以下の範囲の電圧変化率で電圧が降下する下り傾斜波形電圧を印加する。
【００１０】
また、本発明に係るプラズマディスプレイ装置は、スキャン電極およびサスティン電極からなる表示電極対と、当該表示電極対に対し、放電空間を挟んで立体交差するデータ電極とを各々複数備え、表示電極対とデータ電極との各立体交差部分に対応する箇所に放電セルが構成されてなるＰＤＰと、それぞれ輝度重み付けされた複数のサブフィールドの組み合わせからなる１ＴＶフィールド期間に、放電セルの壁電荷状態の初期化を図る初期化期間を割り当てられてなる方式を用いてＰＤＰの表示駆動を実行する表示駆動部とを備え、表示駆動部は、上記本発明に係るプラズマディスプレイ装置の駆動方法をもって駆動を実行するものである。
【発明の効果】
【００１１】
本発明に係るプラズマディスプレイ装置の駆動方法および本発明に係るプラズマディスプレイ装置の表示駆動部が実行する表示駆動では、初期化期間の第２期間において、スキャン電極に対して下り傾斜波形電圧を印加するとともに、サスティン電極に対しても下り傾斜波形電圧を印加する、という方法を採用する。このため、本発明に係るプラズマディスプレイ装置の駆動方法および本発明に係るプラズマディスプレイ装置では、初期化期間の第２期間において、スキャン電極とサスティン電極との間の電圧変化を抑えながら、スキャン電極とデータ電極との間に下り傾斜波形電圧を印加するので、スキャン電極とサスティン電極との間での放電の発生を避けながら、スキャン電極とデータ電極との間で初期化放電を確実に発生させることができる。
【００１２】
即ち、本発明では、発光効率の向上を図るために、スキャン電極とサスティン電極との間の放電ギャップを広く設定したり、放電空間内における放電ガス中のＸｅの分圧比率を高く設定した場合にあっても、初期化期間において、不安定となりやすいスキャン電極とサスティン電極との間の放電の発生を避け、スキャン電極とデータ電極との間での初期化放電を確実に発生させることができる。
【００１３】
従って、本発明に係るプラズマディスプレイ装置の駆動方法および本発明に係るプラズマディスプレイ装置では、安定した初期化放電を発生させることで高い画像表示品質を確保しながら、高い発光効率を達成できる。
【発明を実施するための最良の形態】
【００１４】
本発明に係るプラズマディスプレイ装置の駆動方法および本発明に係るプラズマディスプレイ装置の表示駆動部が実行する表示駆動では、初期化期間の第２期間において、スキャン電極に対して下り傾斜波形電圧を印加するとともに、サスティン電極に対しても下り傾斜波形電圧を印加する、という方法を採用する。このため、本発明に係るプラズマディスプレイ装置の駆動方法および本発明に係るプラズマディスプレイ装置では、発光効率の向上を図るために、スキャン電極とサスティン電極との間の放電ギャップを広く設定したり、放電空間内における放電ガス中のＸｅの分圧比率を高く設定した場合にあっても、初期化期間において、不安定となりやすいスキャン電極とサスティン電極との間の放電の発生を避け、スキャン電極とデータ電極との間での初期化放電を確実に発生させることができる。
【００１５】
従って、本発明に係るプラズマディスプレイ装置の駆動方法および本発明に係るプラズマディスプレイ装置では、安定した初期化放電を発生させることで高い画像表示品質を確保しながら、高い発光効率を達成できる。
上記本発明に係るプラズマディスプレイ装置の駆動方法および本発明に係るプラズマディスプレイ装置では、以下の具体的バリエーションを採用することができる。
【００１６】
上記本発明に係るプラズマディスプレイ装置の駆動方法および本発明に係るプラズマディスプレイ装置では、第２期間において、スキャン電極およびサスティン電極の各々に対し、上記下り傾斜波形電圧として、データ電極との間の電圧が放電開始電圧未満から放電開始電圧以上となるまで上記電圧変化率で降下する波形の電圧を印加する、という構成を採用することができる。
【００１７】
また、上記本発明に係るプラズマディスプレイ装置の駆動方法および本発明に係るプラズマディスプレイ装置では、第１期間において、サスティン電極に対し、データ電極との間で放電開始電圧未満となる正極性の電圧を印加する、という構成を採用することもできる。
上記各構成を採用することにより、本発明に係るプラズマディスプレイ装置の駆動方法および本発明に係るプラズマディスプレイ装置では、初期化放電にともなう輝度を抑制し、コントラストの高い画像表示が可能となる。
【００１８】
また、上記本発明に係るプラズマディスプレイ装置の駆動方法および本発明に係るプラズマディスプレイ装置では、第１期間において、スキャン電極に対し、０．５［Ｖ／μｓｅｃ．］以上５．０［Ｖ／μｓｅｃ．］以下の範囲の電圧変化率で電圧が上昇する上り傾斜波形電圧を印加し、且つ、サスティン電極に対し、０．５［Ｖ／μｓｅｃ．］以上５．０［Ｖ／μｓｅｃ．］以下の範囲の電圧変化率で電圧が上昇する上り傾斜波形電圧を印加する、という構成を採用することができる。
【００１９】
また、上記本発明に係るプラズマディスプレイ装置の駆動方法および本発明に係るプラズマディスプレイ装置では、第１期間において、スキャン電極およびサスティン電極の各々に対し、上記上り傾斜波形電圧として、データ電極との間の電圧が放電開始電圧未満から放電開始電圧以上となるまで上記電圧変化率で上昇する波形の電圧を印加し、第２期間において、スキャン電極およびサスティン電極の各々に対し、下り傾斜波形電圧として、データ電極との間の電圧が放電開始電圧未満から放電開始電圧以上となるまで上記電圧変化率で降下する波形の電圧を印加する、という構成を採用することができる。
【００２０】
また、上記本発明に係るプラズマディスプレイ装置の駆動方法および本発明に係るプラズマディスプレイ装置では、第２期間において、スキャン電極に対する上記下り傾斜波形電圧と、サスティン電極に対する上記下り傾斜波形電圧とが実質的に同一の波形である、という構成を採用することができる。このように、第２期間にスキャン電極に印加される下り傾斜波形電圧とサスティン電極に印加される下り傾斜波形電圧とを、実質的に同一の波形とすることで、両波形電圧の形成に同一構成の回路を採用することができる。ここで、「実質的に同一の波形」とは、スキャン電極とサスティン電極に印加される電圧波形の傾斜が、上記規定の範囲に属し、且つ、スキャン電極とサスティン電極に印加される電圧波形によって、スキャン電極とサスティン電極との間で初期化放電を発生させることなく、スキャン電極とデータ電極、およびサスティン電極とデータ電極との間で初期化放電を発生させることができる波形であればよい、ということを意味する。
【００２１】
また、上記本発明に係るプラズマディスプレイ装置の駆動方法および本発明に係るプラズマディスプレイ装置では、第２期間において、スキャン電極に対する上記下り傾斜波形電圧と、サスティン電極に対する上記下り傾斜波形電圧とが実質的に同一のタイミングをもって印加される、という構成を採用することができる。ここで、「実質的に同一のタイミングをもって印加される」とは、同時に印加される、あるいは、５．０［μｓｅｃ．］以内のタイミングのズレをもって印加される、ということを意味する。
【００２２】
また、上記本発明に係るプラズマディスプレイ装置の駆動方法および本発明に係るプラズマディスプレイ装置では、第１期間において、スキャン電極に対する上記上り傾斜波形電圧と、サスティン電極に対する上記上り傾斜波形電圧とが実質的に同一の波形である、という構成を採用することができる。ここで、「実質的に同一の波形」とは、スキャン電極とサスティン電極に印加される電圧波形の傾斜が、上記規定の範囲に属し、且つ、スキャン電極とサスティン電極に印加される電圧波形によって、スキャン電極とサスティン電極との間で初期化放電を発生させることなく、スキャン電極とデータ電極、およびサスティン電極とデータ電極との間で初期化放電を発生させることができる波形であればよい、ということを意味する。
【００２３】
また、上記本発明に係るプラズマディスプレイ装置の駆動方法および本発明に係るプラズマディスプレイ装置では、第１期間において、スキャン電極に対する上記上り傾斜波形電圧と、サスティン電極に対する上記上り傾斜波形電圧とが実質的に同一のタイミングをもって印加される、という構成を採用することができる。ここでも、「実質的に同一のタイミングをもって印加される」とは、同時に印加される、あるいは、５．０［μｓｅｃ．］以内のタイミングのズレをもって印加される、ということを意味する。
【００２４】
また、上記本発明に係るプラズマディスプレイ装置の駆動方法および本発明に係るプラズマディスプレイ装置では、第１期間において、スキャン電極に対するデータ電極との間で放電開始電圧以上となる上記正極性の電圧と、サスティン電極に対するデータ電極との間で放電開始電圧未満となる上記正極性の電圧とが実質的に同一のタイミングをもって印加される、という構成を採用することができる。ここでも、「実質的に同一のタイミングをもって印加される」とは、同時に印加される、あるいは、５．０［μｓｅｃ．］以内のタイミングのズレをもって印加される、ということを意味する。
【００２５】
また、上記本発明に係るプラズマディスプレイ装置の駆動方法および本発明に係るプラズマディスプレイ装置では、上記各構成を採用することにより、初期化期間において、スキャン電極とサスティン電極との間での放電を生じさせず、且つ、スキャン電極とデータ電極との間で初期化放電を生じさせることができる。さらに、上記本発明に係るプラズマディスプレイ装置の駆動方法および本発明に係るプラズマディスプレイ装置では、上記各構成を採用することにより、初期化期間において、サスティン電極とデータ電極との間でも初期化放電を生じさせることができる。
【００２６】
（実施の形態１）
以下では、本発明を実施するための最良の形態について、一例をもって説明する。なお、以下で説明する実施の形態は、あくまでも一例とするものであり、本発明は、これらに限定されるものではない。
１．パネル部１０の構成
実施の形態１に係るプラズマディスプレイ装置１の構成の内、パネル部１０の構成について、図１および図２を用い説明する。図１は、実施の形態１に係るプラズマディスプレイ装置１のパネル部１０の要部構成を示す斜視図（一部断面図）であり、図２は、パネル部１０における電極Ｓｃｎ、Ｓｕｓ、Ｄａｔの配列を示す模式平面図である。
【００２７】
図１に示すように、パネル部１０は、前面パネル２０と背面パネル３０とが、その間に放電空間４０を形成するように対向配置された構成を有する。この内、前面パネル２０は、ガラス製の前面基板２１をベースとして構成され、その一方の表面上に、表示電極対２２を構成するスキャン電極Ｓｃｎとサスティン電極Ｓｕｓとが互いに平行に対をなして複数形成されている。ここで、スキャン電極Ｓｃｎとサスティン電極Ｓｕｓとの間隔、即ち、放電ギャップ長は、例えば２５０［μｍ］である。そして、スキャン電極Ｓｃｎおよびサスティン電極Ｓｕｓを覆うように誘電体層２３が形成され、誘電体層２３上には保護層２４が形成されている。
【００２８】
また、背面パネル３０は、背面基板３１をベースとして構成され、その一方の主面上に、複数のデータ電極Ｄａｔが形成され、そのデータ電極Ｄａｔを覆うように誘電体層３３が形成されている。誘電体層３３上には、井桁状の隔壁３５が設けられている。ここで、隔壁３５の高さ（Ｚ軸方向の高さ）は、例えば１２０［μｍ］である。誘電体層３３の表面および隔壁３５の側面には、蛍光体層３６が設けられている。蛍光体層３６は、井桁状の隔壁３５により区分けされる各凹部毎に赤色蛍光体層３６Ｒ、緑色蛍光体層３６Ｇ、青色蛍光体層３６Ｂが分けて形成されている。
【００２９】
前面パネル２０と背面パネル３０とは、スキャン電極Ｓｃｎおよびサスティン電極Ｓｕｓとデータ電極Ｄａｔとが交差する方向になるように対向配置されており、その間に形成される放電空間４０には、放電ガスとしてネオン（Ｎｅ）とキセノン（Ｘｅ）の混合ガスが封入されている。放電ガスは、全圧に対するキセノン分圧の比率が１０［％］以上、例えば２０［％］であり、ガス圧が４５０［Ｔｏｒｒ］（４５０×０．１３３３≒６０．０［ｋＰａ］）である。
【００３０】
なお、本実施の形態に係るプラズマディスプレイ装置１では、適用することができるパネル部１０が、上述した各数値で設定されたパネルに限定されるわけではないが、例えば、放電ギャップ長を１００［μｍ］〜４００［μｍ］と長く設定し、全圧に対するキセノン分圧の比率を１０［％］以上と高く設定したパネルでは、より大きな効果を得ることができる。また構造も上述したものに限られるわけではなく、例えば井桁状ではなくストライプ状の隔壁を備えたものであってもよい。
【００３１】
このように本実施の形態に用いるパネル部１０は、発光効率を高めるために、スキャン電極Ｓｃｎとサスティン電極Ｓｕｓとの間の放電ギャップ長を、スキャン電極Ｓｃｎとデータ電極Ｄａｔとの間隔よりも長く設定している。本実施の形態においては、放電ギャップ長をデータ電極Ｄａｔとの間隔のおよそ２倍長く設定しており、また、全圧に対するキセノン分圧の比率も従来のプラズマディスプレイパネルよりも高く設定している。
【００３２】
図２に示すように、パネル部１０には、行方向に長いｎ［本］のスキャン電極Ｓｃｎ（１）〜Ｓｃｎ（ｎ）（図１のスキャン電極Ｓｃｎ）、および、ｎ［本］のサスティン電極Ｓｕｓ（１）〜Ｓｕｓ（ｎ）（図１のサスティン電極Ｓｕｓ）が配列され、列方向に長いｍ［本］のデータ電極Ｄａｔ（１）〜Ｄａｔ（ｍ）（図１のデータ電極Ｄａｔ）が配列されている。そして、一対のスキャン電極Ｓｃｎ（ｉ）およびサスティン電極Ｓｕｓ（ｉ）（ｉ＝１〜ｎ）と１つのデータ電極Ｄａｔ（ｊ）（ｊ＝１〜ｍ）とが交差した部分に放電セルが形成され、放電セルはパネル部１０において、ｍ×ｎ［個］形成されている。
【００３３】
なお、図２には、スキャン電極Ｓｃｎおよびサスティン電極Ｓｕｓのそれぞれが１［本］ずつ交互にＳｕｓ（１）、Ｓｃｎ（１）、Ｓｕｓ（２）、Ｓｃｎ（２）、Ｓｕｓ（３）、Ｓｃｎ（３）、・・・のように配列されているものとして説明した。しかし、それ以外の配列、例えばスキャン電極Ｓｃｎおよびサスティン電極Ｓｕｓのそれぞれが、２［本］ずつ交互にＳｃｎ（１）、Ｓｕｓ（１）、Ｓｕｓ（２）、Ｓｃｎ（２）、Ｓｃｎ（３）、Ｓｕｓ（３）、・・・のように配列されていてもよい。
【００３４】
２．駆動回路
次に、プラズマディスプレイ装置１における駆動回路について、図３〜図５を用い説明する。図３は、本実施の形態１におけるプラズマディスプレイ装置１の回路ブロック図であり、図４は、プラズマディスプレイ装置１の駆動回路の内のスキャン電極駆動回路５３の回路図であり、図５はサスティン電極駆動回路５４の回路図である。
【００３５】
図３に示すように、プラズマディスプレイ装置１は、上記構成のパネル部１０と、画像信号処理回路５１、データ電極駆動回路５２、スキャン電極駆動回路５３、サスティン電極駆動回路５４、タイミング発生回路５５および各回路ブロックに必要な電源を供給する電源回路（図示を省略。）を備える駆動回路部とから構成されている。
画像信号処理回路５１は、入力された画像信号ｓｉｇをサブフィールド毎の発光・非発光を示す画像データに変換する。データ電極駆動回路５２はサブフィールド毎の画像データを各データ電極Ｄａｔ（１）〜Ｄａｔ（ｍ）に対応する信号に変換し各データ電極Ｄａｔ（１）〜Ｄａｔ（ｍ）を駆動する。
【００３６】
タイミング発生回路５５は、水平同期信号Ｈ、垂直同期信号Ｖをもとにして各回路ブロックの動作を制御する各種のタイミング信号を生成し、当該タイミング信号をそれぞれの回路ブロックへ供給する。
Ｓｃｎ電極駆動回路５３は、維持パルスを発生するための維持パルス発生回路１００、初期化期間においてパルス電圧および傾斜波形電圧を発生させるための初期化波形発生回路１３０、書込み期間において走査パルスを発生させる走査パルス発生回路１５０を有し、タイミング信号にもとづいて各スキャン電極Ｓｃｎ（１）〜Ｓｃｎ（ｎ）をそれぞれ駆動する。
【００３７】
Ｓｕｓ電極駆動回路５４は、維持期間においてサスティン電極Ｓｕｓ（１）〜Ｓｕｓ（ｎ）に印加する維持パルスを発生するための維持パルス発生回路２００、初期化期間において傾斜波形電圧を発生させるための初期化波形発生回路２３０、書込み期間において電圧Ｖｅを発生させる電圧印加回路２５０を有し、タイミング信号にもとづいてサスティン電極Ｓｕｓ（１）〜Ｓｕｓ（ｎ）を駆動する。
【００３８】
２−１．Ｓｃｎ電極駆動回路５３
図４に示すように、Ｓｃｎ電極駆動回路５３における維持パルス発生回路１００は、クランプ部１１０と電力回収部１２０とを備えている。クランプ部１１０は、一方が電圧Ｖｓの電源に接続されたスイッチング素子Ｑ１１１、および、一方が接地電位に接続されたスイッチング素子Ｑ１１２を有している。
【００３９】
また、電力回収部１２０は、電力回収用のコンデンサＣ１２１、スイッチング素子Ｑ１２１、Ｑ１２２、逆流防止用のダイオードＤ１２１、Ｄ１２２、共振用のインダクタＬ１２１を有している。
初期化波形発生回路１３０は、一方が電圧Ｖｉ２の電源に接続されたスイッチング素子Ｑ１３１、スイッチング素子Ｑ１４２とコンデンサＣ１４２と抵抗Ｒ１４２とを有し電圧Ｖｉ４の電源に接続されたミラー積分回路ＭＩ１４２、スイッチング素子Ｑ１３２を用いた分離回路およびスイッチング素子Ｑ１４１を用いた分離回路を備える。
【００４０】
走査パルス発生回路１５０は、スキャン電極Ｓｃｎ（１）〜Ｓｃｎ（ｎ）のそれぞれに対し走査パルス電圧を出力するスイッチ部ＯＵＴ１〜ＯＵＴｎと、スイッチ部ＯＵＴ１〜ＯＵＴｎの低電圧側を電圧Ｖａにクランプするためのスイッチング素子Ｑ１５１とを備えている。そしてスイッチ部ＯＵＴ１〜ＯＵＴｎのそれぞれは、電圧Ｖｃを出力するためのスイッチング素子ＱＨ１〜ＱＨｎと電圧Ｖａを出力するためのスイッチング素子ＱＬ１〜ＱＬｎとを有している。
【００４１】
２−２．Ｓｕｓ電極駆動回路５４
図５に示すように、Ｓｕｓ電極駆動回路５４における初期化波形発生回路２３０は、スイッチング素子Ｑ２４２とコンデンサＣ２４２と抵抗Ｒ２４２とを有し電圧Ｖｉ４の電源に接続されたミラー積分回路ＭＩ２４２、スイッチング素子Ｑ２４１を用いた分離回路を備える。電圧印加回路２５０は、一方を電圧Ｖｅの電源に接続されたスイッチング素子Ｑ２５１を有している。維持パルス発生回路２００は、上記Ｓｃｎ電極駆動回路５３における維持パルス発生回路１００と同様の構成である。
【００４２】
３．プラズマディスプレイ装置１の駆動方法
パネル１０を備えるプラズマディスプレイ装置１は、サブフィールド法、すなわち１ＴＶフィールド期間を複数のサブフィールドに分割し、サブフィールド毎に各放電セルの発光・非発光を制御することによって階調表示を行う。それぞれのサブフィールドは、初期化期間、書込み期間および維持期間を有する。
【００４３】
初期化期間では、初期化放電を発生し、続く書込み放電に必要な壁電荷を各電極上に形成する。このときの初期化動作には、全ての放電セルで初期化放電を発生させる初期化動作（以下、「全セル初期化動作」と略記する。）と、維持放電を行った放電セルで初期化放電を発生させる初期化動作（以下、「選択初期化動作」と略記する。）とがある。本実施の形態１においては、１ＴＶフィールド期間の最初のサブフィールド（第１ＳＦ）の初期化期間では全セル初期化動作、それ以降のサブフィールド（第２ＳＦ〜）の初期化期間では選択初期化動作を行うものとして説明する。
【００４４】
書込み期間では、発光させるべき放電セルで選択的に書込み放電を発生し壁電荷を形成する。そして維持期間では、輝度重みに比例した数の維持パルスを表示電極対に交互に印加して、書込み放電を発生した放電セルで維持放電を発生させて発光させる。
以上の各駆動動作について、図６を用い説明する。図６は、プラズマディスプレイ装置１の駆動に際し、各電極Ｓｃｎ、Ｓｕｓ、Ｄａｔに印加される駆動電圧波形を示す駆動波形図である。
【００４５】
３−１．全セル初期化期間（全セル初期化動作を実行する期間）
先ず、全セル初期化動作について説明する。以下の説明では、全セル初期化期間を、便宜上、前半部と後半部との２期間に分ける。
図６に示すように、第１サブフィールド（第１ＳＦ）における全セル初期化期間の前半部では、データ電極Ｄａｔ（１）〜Ｄａｔ（ｍ）に０［Ｖ］を印加し、サスティン電極Ｓｕｓ（１）〜Ｓｕｓ（ｎ）にはデータ電極Ｄａｔ（１）〜Ｄａｔ（ｍ）に対して放電開始電圧未満の電圧Ｖｉ１を印加する。そして、スキャン電極Ｓｃｎ（１）〜Ｓｃｎ（ｎ）には、データ電極Ｄａｔ（１）〜Ｄａｔ（ｍ）に対して放電開始電圧以上の電圧Ｖｉ２を印加する。すると、スキャン電極Ｓｃｎ（１）〜Ｓｃｎ（ｎ）とデータ電極Ｄａｔ（１）〜Ｄａｔ（ｍ）との間で初期化放電が発生し、スキャン電極Ｓｃｎ（１）〜Ｓｃｎ（ｎ）上に負の壁電圧、データ電極Ｄａｔ（１）〜Ｄａｔ（ｍ）上に正の壁電圧が蓄積される。
【００４６】
なお、「電極上部の壁電圧」とは、電極を覆う誘電体層上、保護層上、蛍光体層上等に蓄積された壁電荷により生じる電圧を表す。
このように、全セル初期化期間の前半部においては、スキャン電極Ｓｃｎ（１）〜Ｓｃｎ（ｎ）にパルス電圧を印加して、データ電極Ｄａｔ（１）〜Ｄａｔ（ｍ）上のスキャン電極Ｓｃｎ（１）〜Ｓｃｎ（ｎ）に対向する位置と、スキャン電極Ｓｃｎ（１）〜Ｓｃｎ（ｎ）との間で放電を発生させて壁電圧を蓄積する。ただし、サスティン電極Ｓｕｓ（１）〜Ｓｕｓ（ｎ）とデータ電極Ｄａｔ（１）〜Ｄａｔ（ｍ）との間、およびスキャン電極Ｓｃｎ（１）〜Ｓｃｎ（ｎ）とサスティン電極Ｓｕｓ（１）〜Ｓｕｓ（ｎ）との間では放電を発生させない。なお、上述したパルス電圧のパルス幅は、確実に放電を発生させるために少なくとも５［μｓｅｃ．］以上であることが望ましく、本実施の形態においては、１０［μｓｅｃ．］に設定している。
【００４７】
全セル初期化期間の後半部では、データ電極Ｄａｔ（１）〜Ｄａｔ（ｍ）に対して放電開始電圧未満の電圧Ｖｉ３から放電開始電圧以上の電圧Ｖｉ４まで緩やかに下降（１．０［Ｖ／μｓｅｃ．］〜１０．０［Ｖ／μｓｅｃ．］の範囲の電圧変化率で下降）する下り傾斜波形電圧を、スキャン電極Ｓｃｎ（１）〜Ｓｃｎ（ｎ）に印加する。
サスティン電極Ｓｕｓ（１）〜Ｓｕｓ（ｎ）にも、同様に電圧Ｖｉ４に向かって緩やかに下降（１．０［Ｖ／μｓｅｃ．］〜１０．０［Ｖ／μｓｅｃ．］の範囲の電圧変化率で下降）する下り傾斜波形電圧を印加する。するとスキャン電極Ｓｃｎ（１）〜Ｓｃｎ（ｎ）とデータ電極Ｄａｔ（１）〜Ｄａｔ（ｍ）との間で微弱な初期化放電が発生する。そして、スキャン電極Ｓｃｎ（１）〜Ｓｃｎ（ｎ）上部の負の壁電圧と、データ電極Ｄａｔ（１）〜Ｄａｔ（ｍ）上部の正の壁電圧とは書込み動作に適した値に調整される。このとき、直前のサブフィールドで維持放電を生じさせた放電セルでは、サスティン電極Ｓｕｓ（１）〜Ｓｕｓ（ｎ）とデータ電極Ｄａｔ（１）〜Ｄａｔ（ｍ）との間で放電が発生するが、直前のサブフィールドで維持放電を生じさせなかった放電セルでは、サスティン電極Ｓｕｓ（１）〜Ｓｕｓ（ｎ）とデータ電極Ｄａｔ（１）〜Ｄａｔ（ｍ）との間の放電は発生しない。
【００４８】
このように、本実施の形態に係る駆動方法では、全セル初期化動作がスキャン電極Ｓｃｎ（１）〜Ｓｃｎ（ｎ）とデータ電極Ｄａｔ（１）〜Ｄａｔ（ｍ）との間で発生する。以上より、全ての放電セルに対して初期化放電を行う全セル初期化動作が終了する。
３−２．書込み期間
図６に示すように、書込み期間では、サスティン電極Ｓｕｓ（１）〜Ｓｕｓ（ｎ）に電圧Ｖｅを、スキャン電極Ｓｃｎ（１）〜Ｓｃｎ（ｎ）に電圧Ｖｃを印加する。次に、１行目のスキャン電極Ｓｃｎ（１）に負極性の走査パルス電圧Ｖａを印加するとともに、データ電極Ｄａｔ（１）〜Ｄａｔ（ｍ）のうち１行目に発光させるべき放電セルのデータ電極Ｄａｔ（ｋ）（ｋ＝１〜ｍ）に正極性の書込みパルス電圧Ｖｄを印加する。このときデータ電極Ｄａｔ（ｋ）上とスキャン電極Ｓｃｎ（１）上との交差部の電圧差は、外部印加電圧の差（Ｖｄ−Ｖａ）にデータ電極Ｄａｔ（ｋ）上の壁電圧とスキャン電極Ｓｃｎ（１）上の壁電圧の差とが加算されたものとなり放電開始電圧を超える。
【００４９】
データ電極Ｄａｔ（ｋ）とスキャン電極Ｓｃｎ（１）とが対向する空間で放電が発生し、サスティン電極Ｓｕｓ（１）と対向するデータ電極Ｄａｔ（ｋ）上までこの放電が広がり、サスティン電極Ｓｕｓ（１）とスキャン電極Ｓｃｎ（１）との間の放電へと進展する。そして、スキャン電極Ｓｃｎ（１）上に正の壁電圧が蓄積され、サスティン電極Ｓｕｓ（１）上に負の壁電圧が蓄積される。このようにして、１行目に発光させるべき放電セルで書込み放電を発生させて各電極上に壁電圧を蓄積する書込み動作が行われる。
【００５０】
一方、書込みパルス電圧Ｖｄを印加しなかったデータ電極Ｄａｔ（１）〜Ｄａｔ（ｍ）とスキャン電極Ｓｃｎ（１）との交差部の電圧は放電開始電圧を超えないので、書込み放電は発生しない。以上の書込み動作をｎ行目の放電セルに至るまで行い、書込み期間が終了する。
３−３．維持期間
図６に示すように、続く維持期間では、まずスキャン電極Ｓｃｎ（１）〜Ｓｃｎ（ｎ）に正の維持パルス電圧Ｖｓを印加するとともにサスティン電極Ｓｕｓ（１）〜Ｓｕｓ（ｎ）に０［Ｖ］を印加する。すると書込み放電を生じさせた放電セルでは、サスティン電極Ｓｕｓ（ｉ）上とデータ電極Ｄａｔ（ｋ）上との電圧差が維持パルス電圧Ｖｓにサスティン電極Ｓｕｓ（ｉ）上の壁電圧とデータ電極Ｄａｔ（ｋ）上の壁電圧との差が加算されたものとなり放電開始電圧を超え放電が発生する。
【００５１】
上記発生の放電は、スキャン電極Ｓｃｎ（ｉ）と対向するデータ電極Ｄａｔ（ｋ）上にまで広がり、サスティン電極Ｓｕｓ（ｉ）とスキャン電極Ｓｃｎ（ｉ）との間の放電へと進展する。このようにしてスキャン電極Ｓｃｎ（ｉ）とサスティン電極Ｓｕｓ（ｉ）との間に維持放電が発生し、このとき生じた紫外線が蛍光体層３６で可視光へと変換される。そして、スキャン電極Ｓｃｎ（ｉ）上に負の壁電圧が蓄積され、サスティン電極Ｓｕｓ（ｉ）上に正の壁電圧が蓄積される。書込み期間において書込み放電が生じなかった放電セルでは、維持放電は発生せず、初期化期間の終了時における壁電圧が保たれる。
【００５２】
続いて、スキャン電極Ｓｃｎ（１）〜Ｓｃｎ（ｎ）には０［Ｖ］を、サスティン電極Ｓｕｓ（１）〜Ｓｕｓ（ｎ）には維持パルス電圧Ｖｓを、それぞれ印加する。すると、維持放電が発生した放電セルでは、サスティン電極Ｓｕｓ（ｉ）上とスキャン電極Ｓｃｎ（ｉ）上との電圧差が放電開始電圧を超え、再びサスティン電極Ｓｕｓ（ｉ）とスキャン電極Ｓｃｎ（ｉ）との間に維持放電が発生し、サスティン電極Ｓｕｓ（ｉ）上に負の壁電圧が蓄積され走査電極ＳＣｉ上に正の壁電圧が蓄積される。以降同様に、スキャン電極Ｓｃｎ（１）〜Ｓｃｎ（ｎ）とサスティン電極Ｓｕｓ（１）〜Ｓｕｓ（ｎ）とに交互に輝度重みに輝度倍率を乗じた数の維持パルスを印加し、表示電極対２２のスキャン電極Ｓｃｎ（１）〜Ｓｃｎ（ｎ）とサスティン電極Ｓｕｓ（１）〜Ｓｕｓ（ｎ）との間に電位差を与えることにより、書込み期間において書込み放電を生じさせた放電セルで維持放電が継続して発生する。
【００５３】
なお、維持期間の最後は、サスティン電極Ｓｕｓ（１）〜Ｓｕｓ（ｎ）に０［Ｖ］を、スキャン電極Ｓｃｎ（１）〜Ｓｃｎ（ｎ）に維持パルス電圧Ｖｓをそれぞれ印加する。
３−４．選択初期化期間（選択初期化動作を実行する期間）
次に、選択初期化期間について説明する。
図６に示すように、第２サブフィールド（第２ＳＦ）における選択初期化期間では、スキャン電極Ｓｃｎ（１）〜Ｓｃｎ（ｎ）に、電圧Ｖｉ４に向かって緩やかに下降（１．０［Ｖ／μｓｅｃ．］〜１０．０［Ｖ／μｓｅｃ．］の範囲の電圧変化率で下降）する下り傾斜波形電圧を印加するとともに、サスティン電極Ｓｕｓ（１）〜Ｓｕｓ（ｎ）にも電圧Ｖｉ４に向かって緩やかに下降（１．０［Ｖ／μｓｅｃ．］〜１０．０［Ｖ／μｓｅｃ．］の範囲の電圧変化率で下降）する下り傾斜波形電圧を印加する。
【００５４】
上記下り傾斜波形電圧の印加により、直前のサブフィールドの維持期間において維持放電を発生させた放電セルでは、スキャン電極Ｓｃｎ（１）〜Ｓｃｎ（ｎ）とデータ電極Ｄａｔ（１）〜Ｄａｔ（ｍ）との間、および、サスティン電極Ｓｕｓ（１）〜Ｓｕｓ（ｎ）とデータ電極Ｄａｔ（１）〜Ｄａｔ（ｍ）との間でそれぞれ微弱な初期化放電が発生する。そして、スキャン電極Ｓｃｎ（１）〜Ｓｃｎ（ｎ）上部およびサスティン電極Ｓｕｓ（１）〜Ｓｕｓ（ｎ）上部の負の壁電圧と、データ電極Ｄａｔ（１）〜Ｄａｔ（ｍ）上部の正の壁電圧とは書込み動作に適した値に調整される。
【００５５】
一方、直前のサブフィールドで維持放電を発生させなかった放電セルについては、当該選択初期化期間で放電が発生することはなく、直前のサブフィールドの初期化期間終了時における壁電荷状態がそのまま保たれる。
このように選択初期化動作は、直前のサブフィールドの維持期間で維持動作を行った放電セルに対して選択的に初期化放電を行う動作である。
【００５６】
なお、第２サブフィールド（第２ＳＦ）以降の書込み期間における動作は、全セル初期化動作を実行する上記第１サブフィールド（第１ＳＦ）での書込み期間における動作と同様であるため説明を省略する。また、第２サブフィールド（第２ＳＦ）以降の維持期間の動作も、維持パルスの数を除いて同様である。
４．Ｓｃｎ電極駆動回路５３およびＳｕｓ電極駆動回路５４の駆動動作
次に、図６に示した駆動を実行する際のＳｃｎ電極駆動回路５３およびＳｕｓ電極駆動回路５４の動作について、図７を併用して説明する。なお、以下の説明においては、電圧Ｖｉ１は電圧Ｖｓに等しく、電圧Ｖｉ３も電圧Ｖｓに等しいものとする。
【００５７】
先ず、Ｓｃｎ電極駆動回路５３およびＳｕｓ電極駆動回路５４のそれぞれにタイミング信号を出力するタイミング発生回路５５は、図６に示す各印加パルスのパルス幅よりも、あるいはパルス印加間隔よりも細幅のクロックパルスを生成し、これを積算する。そして、タイミング発生回路５５は、例えば、１ＴＶフィールドの開始の各タイミングで積算値をリセットする。
【００５８】
４−１．全セル初期化期間
（ａ）前半部
図６に示すタイミングｔ１において、Ｓｃｎ電極駆動回路５３は、まずスイッチング素子Ｑ１１１、Ｑ１３２、Ｑ１４１、ＱＬ１〜ＱＬｎを”ＯＮ”にし、これらスイッチング素子Ｑ１１１、Ｑ１３２、Ｑ１４１、ＱＬ１〜ＱＬｎを介してスキャン電極Ｓｃｎ（１）〜Ｓｃｎ（ｎ）に電圧Ｖｓ（＝Ｖｉ１）を印加する（図７のタイミングｔ１の部分を参照）。
【００５９】
また、タイミングｔ１において、Ｓｕｓ電極駆動回路５４は、スイッチング素子Ｑ２１１、Ｑ２４１を”ＯＮ”にし、これらスイッチング素子Ｑ２１１、Ｑ２４１を介してサスティン電極Ｓｕｓ（１）〜Ｓｕｓ（ｎ）に電圧Ｖｓ（＝Ｖｉ１）を印加する。
次に、タイミングｔ２において、Ｓｃｎ電極駆動回路５３は、スイッチング素子Ｑ１１１、Ｑ１３２を”ＯＦＦ”にするとともにスイッチング素子１３１を”ＯＮ”にすることで、スキャン電極Ｓｃｎ（１）〜Ｓｃｎ（ｎ）に対し電圧Ｖｉ２のパルス電圧を印加する。このとき、Ｓｕｓ電極駆動回路５４は、サスティン電極Ｓｕｓ（１）〜Ｓｕｓ（ｎ）に対する電圧Ｖｓの印加状態を維持する（図７のタイミングｔ２の部分を参照）。
【００６０】
（ｂ）後半部
タイミングｔ３において、Ｓｃｎ電極駆動回路５３は、スイッチング素子Ｑ１３１を”ＯＦＦ”にするとともに、スイッチング素子Ｑ１１１、Ｑ１３２を”ＯＮ”にすることで、スキャン電極Ｓｃｎ（１）〜Ｓｃｎ（ｎ）に対し電圧Ｖｓ（＝Ｖｉ３）を印加する（図７のタイミングｔ３の部分を参照）。そして、タイミングｔ４において、Ｓｃｎ電極駆動回路５３は、スイッチング素子Ｑ１１１、Ｑ１３２、Ｑ１４１を”ＯＦＦ”にするとともに、スイッチング素子Ｑ１４２を”ＯＮ”にし、コンデンサＣ１４２と抵抗Ｒ１４２とで構成されるミラー積分回路ＭＩ１４２を”ＯＮ”状態にする。これにより、スキャン電極Ｓｃｎ（１）〜Ｓｃｎ（ｎ）には、電圧Ｖｓから電圧Ｖｉ４に向かって緩やかに下降する下り傾斜波形電圧が印加されることになる（図７のタイミングｔ４の部分を参照）。
【００６１】
なお、ミラー積分回路ＭＩ１４２は、下り傾斜波形電圧の電圧変化率が １．０［Ｖ／μｓｅｃ．］〜１０．０［Ｖ／μｓｅｃ．］の範囲となるように時定数が設定されている。
また、タイミングｔ４において、Ｓｕｓ電極駆動回路５４も、スイッチング素子Ｑ２１１、Ｑ２４１を”ＯＦＦ”にするとともに、スイッチング素子Ｑ２４２を”ＯＮ”にし、コンデンサＣ２４２と抵抗Ｒ２４２とで構成されるミラー積分回路ＭＩ２４２を”ＯＮ”状態にする。これにより、サスティン電極Ｓｕｓ（１）〜Ｓｕｓ（ｎ）にも、電圧Ｖｓから電圧Ｖｉ４に向かって緩やかに下降する下り傾斜波形電圧が印加される（図７のタイミングｔ４の部分を参照）。Ｓｕｓ電極駆動回路５４におけるミラー積分回路ＭＩ２４２についても、下り傾斜波形電圧の電圧変化率が １．０［Ｖ／μｓｅｃ．］〜１０．０［Ｖ／μｓｅｃ．］の範囲となるように時定数が設定されている。
【００６２】
４−２．書込み期間
続いて、タイミングｔ５において、Ｓｕｓ電極駆動回路５４は、スイッチング素子Ｑ２４１、Ｑ２５１を”ＯＮ”にするとともに、スイッチング素子Ｑ２４２を”ＯＦＦ”にすることで、サスティン電極Ｓｕｓ（１）〜Ｓｕｓ（ｎ）に電圧Ｖｅを印加する（図７のタイミングｔ５の部分を参照）。Ｓｕｓ電極駆動回路５４は、書込み期間の間、サスティン電極Ｓｕｓ（１）〜Ｓｕｓ（ｎ）に対する電圧Ｖｅの印加を維持する（図７のタイミングｔ５〜ｔ１０の部分を参照）。
【００６３】
一方、タイミングｔ５以降に始まる書込み期間において、Ｓｃｎ電極駆動回路５３は、次のようにしてスキャン電極Ｓｃｎ（１）〜Ｓｃｎ（ｎ）のそれぞれに順次走査パルスを印加する。
先ず、タイミングｔ５において、Ｓｃｎ電極駆動回路５３は、スイッチング素子Ｑ１４２、ＱＬ１〜ＱＬｎを”ＯＦＦ”にするとともに、スイッチング素子ＱＨ１〜ＱＨｎを”ＯＮ”にし、スキャン電極Ｓｃｎ（１）〜Ｓｃｎ（ｎ）に電圧Ｖｃを印加する。
【００６４】
次に、タイミングｔ６において、Ｓｃｎ電極駆動回路５３は、スイッチング素子ＱＨ１を”ＯＦＦ”にするとともに、スイッチング素子Ｑ１５１、ＱＬ１を”ＯＮ”にし、これにより１行目のスキャン電極Ｓｃｎ（１）に対し負極性の走査パルス電圧Ｖａを印加する（図７のタイミングｔ６の部分を参照）。このとき、データ電極駆動回路５２は、データ電極Ｄａｔ（１）〜Ｄａｔ（ｍ）の内、１行目において発光させるべき放電セルのデータ電極Ｄａｔ（ｋ）に対し正極性の書込みパルス電圧Ｖｄを印加する。
【００６５】
タイミングｔ７において、Ｓｃｎ電極駆動回路５３は、スイッチング素子Ｑ１５１、ＱＬ１を”ＯＦＦ”にするとともに、スイッチング素子ＱＨ１を”ＯＮ”にし、１行目のスキャン電極Ｓｃｎ（１）への走査パルスＶａの印加を終了する（図７のタイミングｔ７の部分を参照）。
次に、図示を省略しているが、Ｓｃｎ電極駆動回路５３は、スイッチング素子ＱＨ２を”ＯＦＦ”にするとともに、スイッチング素子Ｑ１５１、ＱＬ２を”ＯＮ”にし、これにより２行目のスキャン電極Ｓｃｎ（２）に走査パルス電圧Ｖａを印加する。このとき、データ電極駆動回路５２は、データ電極Ｄａｔ（１）〜Ｄａｔ（ｍ）の内、２行目において発光させるべき放電セルのデータ電極Ｄａｔ（ｋ）に対し正極性の書込みパルス電圧Ｖｄを印加する。
【００６６】
上記２行目の各放電セルへの書込みが終了すると、Ｓｃｎ電極駆動回路５３は、スイッチング素子Ｑ１５１、ＱＬ２を”ＯＦＦ”にするとともに、スイッチング素子ＱＨ２を”ＯＮ”にし、２行目のスキャン電極Ｓｃｎ（２）への走査パルスＶａの印加を終了する
以降、同様の動作をｎ行目のスキャン電極Ｓｃｎ（ｎ）に至るまで実行する。
４−３．維持期間
続いて、タイミングｔ８において、Ｓｃｎ電極駆動回路５３は、スイッチング素子Ｑ１１２、Ｑ１３２、Ｑ１４１、ＱＬ１〜ＱＬｎを”ＯＮ”にするとともに、スイッチング素子ＱＨ１〜ＱＨｎを”ＯＦＦ”にし、スキャン電極Ｓｃｎ（１）〜Ｓｃｎ（ｎ）を接地電位とする（図７のタイミングｔ８の部分を参照）。
【００６７】
タイミングｔ９において、Ｓｃｎ電極駆動回路５３は、スイッチング素子Ｑ１１２を”ＯＦＦ”にするとともに、スイッチング素子Ｑ１２１を”ＯＮ”にし、これにより電力回収用のコンデンサＣ１２１からスイッチング素子Ｑ１２１、ダイオードＤ１２１、インダクタＬ１２１、スイッチング素子Ｑ１３２、Ｑ１４１、ＱＬ１〜ＱＬｎを介してスキャン電極Ｓｃｎ（１）〜Ｓｃｎ（ｎ）へ電流が流れ、スキャン電極Ｓｃｎ（１）〜Ｓｃｎ（ｎ）の電圧が上がり始める（図７のタイミングｔ９の部分を参照）。そして、続くタイミングｔ１１において、Ｓｃｎ電極駆動回路５３は、スイッチング素子Ｑ１１１を”ＯＮ”にするとともに、スイッチング素子Ｑ１２１を”ＯＦＦ”にし、スキャン電極Ｓｃｎ（１）〜Ｓｃｎ（ｎ）をスイッチング素子Ｑ１１１、Ｑ１３２、Ｑ１４１、ＱＬ１〜ＱＬｎを介して電圧Ｖｓにクランプする（図７のタイミングｔ１１の部分を参照）。
【００６８】
一方、タイミングｔ１０において、Ｓｕｓ電極駆動回路５４は、スイッチング素子Ｑ２２２を”ＯＮ”にするとともに、スイッチング素子Ｑ２５１を”ＯＦＦ”にし、これによりサスティン電極Ｓｕｓ（１）〜Ｓｕｓ（ｎ）からスイッチング素子Ｑ２４１、インダクタＬ２２１、ダイオードＤ２２２、スイッチング素子Ｑ２２２を介してコンデンサＣ２２１に電流が流れ、サスティン電極Ｓｕｓ（１）〜Ｓｕｓ（ｎ）の電圧が降下し始める（図７のタイミングｔ１０の部分を参照）。そして、タイミングｔ１２において、Ｓｕｓ電極駆動回路５４は、スイッチング素子Ｑ２１２を”ＯＮ”にするとともに、スイッチング素子Ｑ２２２を”ＯＦＦ”にし、これによりサスティン電極Ｓｕｓ（１）〜Ｓｕｓ（ｎ）はスイッチング素子Ｑ２１２、Ｑ２４１を介して接地され、０［Ｖ］にクランプされる（図７のタイミングｔ１２の部分を参照）。
【００６９】
次に、タイミングｔ１３において、Ｓｃｎ電極駆動回路５３は、スイッチング素子Ｑ１１１を”ＯＦＦ”にするとともに、スイッチング素子Ｑ１２２を”ＯＮ”にし、これによりスキャン電極Ｓｃｎ（１）〜Ｓｃｎ（ｎ）からスイッチング素子ＱＬ１〜ＱＬｎ、Ｑ１４１、Ｑ１３２、インダクタＬ１２１、ダイオードＤ１２２、スイッチング素子Ｑ１２２を介してコンデンサＣ１２１に電流が流れ、スキャン電極Ｓｃｎ（１）〜Ｓｃｎ（ｎ）の電圧が降下し始める（図７のタイミングｔ１３の部分を参照）。そして、タイミングｔ１４において、Ｓｃｎ電極駆動回路５３は、スイッチング素子Ｑ１１２を”ＯＮ”にするとともに、スイッチング素子Ｑ１２２を”ＯＦＦ”にし、これによりスキャン電極Ｓｃｎ（１）〜Ｓｃｎ（ｎ）の電圧が０［Ｖ］にクランプされる（図７のタイミングｔ１４の部分を参照）。
【００７０】
また、タイミングｔ１５において、Ｓｕｓ電極駆動回路５４は、スイッチング素子Ｑ２２１を”ＯＮ”にするとともに、スイッチング素子Ｑ２１２を”ＯＦＦ”にし、これにより電力回収用のコンデンサＣ２２１からスイッチング素子Ｑ２２１、ダイオードＤ２２１、インダクタＬ２２１、スイッチング素子Ｑ２４１を介してサスティン電極Ｓｕｓ（１）〜Ｓｕｓ（ｎ）へ電流が流れ、サスティン電極Ｓｕｓ（１）〜Ｓｕｓ（ｎ）の電圧が上昇し始める（図７のタイミングｔ１５の部分を参照）。そして、タイミングｔ１６において、Ｓｕｓ電極駆動回路５４は、スイッチング素子Ｑ２１１を”ＯＮ”にするとともに、スイッチング素子Ｑ２２１を”ＯＦＦ”にし、サスティン電極Ｓｕｓ（１）〜Ｓｕｓ（ｎ）を電圧Ｖｓにクランプする（図７のタイミングｔ１６の部分を参照）。
【００７１】
タイミングｔ１７において、タイミングＳｕｓ電極駆動回路５４は、上記タイミングｔ１０と同様の動作を実行して、サスティン電極Ｓｕｓ（１）〜Ｓｕｓ（ｎ）の電圧を降下させ始め、また、タイミングｔ１８において、上記タイミングｔ１２と同様の動作を実行して、サスティン電極Ｓｕｓ（１）〜Ｓｕｓ（ｎ）の電圧を０［Ｖ］にクランプする（図７のタイミングｔ１７〜ｔ１８の部分を参照）。
【００７２】
以降同様に、Ｓｃｎ電極駆動回路５３およびＳｕｓ電極駆動回路５４は、必要に応じてスキャン電極Ｓｃｎ（１）〜Ｓｃｎ（ｎ）とサスティン電極Ｓｕｓ（１）〜Ｓｕｓ（ｎ）とに交互に維持パルスを印加する。そして、タイミングｔ１９〜ｔ２０において、Ｓｃｎ電極駆動回路５３は、スキャン電極Ｓｃｎ（１）〜Ｓｃｎ（ｎ）に維持パルス電圧Ｖｓをそれぞれ印加する（図７のタイミングｔ１９〜ｔ２０の部分を参照）。
【００７３】
４−４．選択初期化期間  
続いて、タイミングｔ２１において、Ｓｃｎ電極駆動回路５３は、スイッチング素子Ｑ１４２を”ＯＮ”としてコンデンサＣ１４２と抵抗Ｒ１４２で構成されるミラー積分回路ＭＩ１４２を”ＯＮ”にするとともに、スイッチング素子Ｑ１１１、Ｑ１３２、Ｑ１４１を”ＯＦＦ”にし、これによりスキャン電極Ｓｃｎ（１）〜Ｓｃｎ（ｎ）に対し電圧Ｖｓから電圧Ｖｉ４に向かって緩やかに下降する下り傾斜波形電圧を印加する（図７のタイミングｔ２１〜ｔ２３の部分を参照）。
【００７４】
タイミングｔ２２において、Ｓｕｓ電極駆動回路５４は、スイッチング素子Ｑ２４２を”ＯＮ”にしてコンデンサＣ２４２と抵抗Ｒ２４２で構成されるミラー積分回路ＭＩ２４２を”ＯＮ”にするとともに、スイッチング素子Ｑ２１２、Ｑ２４１を”ＯＦＦ”にし、これによりサスティン電極Ｓｕｓ（１）〜Ｓｕｓ（ｎ）に対し０［Ｖ］から電圧Ｖｉ４に向かって緩やかに下降する下り傾斜波形電圧を印加する（図７のタイミングｔ２２〜ｔ２３の部分を参照）。
【００７５】
以上のようにして、本実施の形態に係る電極駆動回路５２、５３、５４を用いて、図６に示す駆動電圧波形をパネル部１０の各電極Ｓｃｎ、Ｓｕｓ、Ｄａｔに印加することができる。
なお、本実施の形態では、１ＴＶフィールドにおける最初のサブフィールド（第１ＳＦ）に全セル初期化期間を割り付け、続くサブフィールド（第２ＳＦ）以降のサブフィールドに選択初期化期間を割り付けるという構成を一例に挙げて説明を行ったが、必ずしもこの割り付けのサブフィールド構成に限定されるものではなく、複数のサブフィールドに全セル初期化期間を割り付ける等、上記以外のサブフィールド構成を採用することとしてもかまわない。
【００７６】
また、本実施の形態において用いた具体的な各数値は、単に一例を挙げたに過ぎず、パネル部における各特性やプラズマディスプレイ装置１の仕様等に合わせて、適宜最適な値に設定することが望ましい。
５．優位性
以上のように、本実施の形態に係るプラズマディスプレイ装置１の駆動方法は、全セル初期化期間の前半部において、スキャン電極Ｓｃｎ（１）〜Ｓｃｎ（ｎ）にパルス電圧を印加して、放電開始電圧の低いスキャン電極Ｓｃｎ（１）〜Ｓｃｎ（ｎ）とデータ電極Ｄａｔ（１）〜Ｄａｔ（ｍ）との間で比較的強い初期化放電を発生させているところに特徴を有する。そして、放電開始電圧が高く、且つ、放電ギャップ長が長いために不安定となりやすいスキャン電極Ｓｃｎ（１）〜Ｓｃｎ（ｎ）とサスティン電極Ｓｕｓ（１）〜Ｓｕｓ（ｎ）との放電を避けることで、放電ギャップ長の長いパネル部１０を有する場合であっても初期化放電を安定させているところである。
【００７７】
なお、スキャン電極Ｓｃｎ（１）〜Ｓｃｎ（ｎ）とデータ電極Ｄａｔ（１）〜Ｄａｔ（ｍ）との間の初期化放電、および、サスティン電極Ｓｕｓ（１）〜Ｓｕｓ（ｎ）とデータ電極Ｄａｔ（１）〜Ｄａｔ（ｍ）との間の初期化放電のみを個別に実行した場合には、詳しい理由は分からないが、スキャン電極Ｓｃｎ（１）〜Ｓｃｎ（ｎ）とサスティン電極Ｓｕｓ（１）〜Ｓｕｓ（ｎ）との間に電位差が発生すると、この電位差を初期化することができないので誤放電が発生する可能性がある。
【００７８】
これに対して、本実施の形態に係るプラズマディスプレイ装置１の駆動方法では、上記のような誤放電は発生しないことが確認されている。その理由としては、本実施の形態に係る駆動方法では、スキャン電極Ｓｃｎ（１）〜Ｓｃｎ（ｎ）とデータ電極Ｄａｔ（１）〜Ｄａｔ（ｍ）との間の初期化放電がパルス電圧による比較的強い放電であり、このとき発生したプライミング粒子（荷電粒子）がスキャン電極Ｓｃｎ（１）〜Ｓｃｎ（ｎ）とサスティン電極Ｓｕｓ（１）〜Ｓｕｓ（ｎ）との間の電位差を緩和するためであると考えることができる。
【００７９】
また、通常は、パルス電圧を印加して比較的強い初期化放電を発生させると初期化放電にともなう発光も強くなり、画像表示時のコントラストが低下するが、本実施の形態に係るプラズマディスプレイ装置１の駆動方法では、パルス電圧を用いて初期化放電を発生させているにもかかわらず、その発光は通常のパルス電圧による発光よりもはるかに弱い。
図８に模式的に示すように、本実施の形態１に係るプラズマディスプレイ装置１の駆動方法では、全セル初期化期間の前半部における初期化放電は、スキャン電極Ｓｃｎ（１）〜Ｓｃｎ（ｎ）とデータ電極Ｄａｔ（１）〜Ｄａｔ（ｍ）とが対向する領域に限定的に発生し、それにともなう発光は不透明なスキャン電極Ｓｃｎ（１）〜Ｓｃｎ（ｎ）に遮られて表示画面に漏れにくい（前面パネル２０からパネル前方に漏れにくい）。
【００８０】
以上が初期化放電にともなう発光輝度が低く抑えられる理由である。本実施の形態においては、全セル初期化動作１回あたりの輝度は０．７７［ｃｄ／ｃｍ２］であり、スキャン電極Ｓｃｎ（１）〜Ｓｃｎ（ｎ）とサスティン電極Ｓｕｓ（１）〜Ｓｕｓ（ｎ）との間での強放電にともなう発光１．４［ｃｄ／ｃｍ２］が発生した場合よりも遥かに暗くなり、コントラストの高い画像表示が可能となる。
【００８１】
本実施の形態に係るプラズマディスプレイ装置１の駆動方法は、通常用いられている構成のパネルを備えるプラズマディスプレイ装置に適用することはもちろん可能であるが、表示電極対２２におけるスキャン電極Ｓｃｎとサスティン電極Ｓｕｓとの間の放電ギャップを従来のパネルの放電ギャップ長よりも長くしたパネル部を有する装置や、従来のパネルよりも放電空間４０内のＸｅ分圧を高く設定したパネル部を有するプラズマディスプレイ装置に対して適用する場合に特に有効である。これらのプラズマディスプレイ装置は、従来のプラズマディスプレイ装置よりも発光効率が高くなるという優位性を有する一方、放電開始電圧が上昇し、放電遅れ時間も長くなる傾向がある。そのため従来のプラズマディスプレイ装置を採用する場合には、初期化放電が不安定になる、あるいは初期化放電を安定して発生させるために放電を強め、その結果画像表示時のコントラストが低下する等の問題点が発生する。
【００８２】
しかし、本実施の形態１に係るプラズマディスプレイ装置の駆動方法を採用する場合には、放電が不安定となりやすいスキャン電極Ｓｃｎ（１）〜Ｓｃｎ（ｎ）とサスティン電極Ｓｕｓ（１）〜Ｓｕｓ（ｎ）との間の放電を発生させることなく初期化動作を行うので、画像表示時のコントラストを低下させることなく、安定した初期化放電を発生させることができる。
【００８３】
（実施の形態２）
実施の形態２に係るプラズマディスプレイ装置２が備えるパネル部１０は、図１および図２に示した上記実施の形態１係るプラズマディスプレイ装置１が備えるパネル部１０と同様であり、発光効率を高めるために、スキャン電極Ｓｃｎとサスティン電極Ｓｕｓとの間の放電ギャップ長がスキャン電極Ｓｃｎとデータ電極Ｄａｔとの間隔よりも長く設定されている。
【００８４】
また、上記放電ギャップ長をスキャン電極Ｓｃｎとデータ電極Ｄａｔとの間隔に対し略２倍長く設定しており、また、放電ガスの全圧に対するキセノン分圧の比率も従来のＰＤＰよりも高く設定している。
１．プラズマディスプレイ装置２の駆動回路
本実施の形態に係るプラズマディスプレイ装置２の駆動回路について、図９〜図１１を用い説明する。図９は、本実施の形態２に係るプラズマディスプレイ装置２の回路構成を示す回路ブロック図である。なお、上記実施の形態１に係るプラズマディスプレイ装置１と同一の回路ブロックには同じ符号を付するとともに、その詳細な説明を省略する。
【００８５】
図９に示すように、本実施の形態２に係るプラズマディスプレイ装置２は、パネル１０、画像信号処理回路５１、データ電極駆動回路５２、走査電極駆動回路６３、維持電極駆動回路６４、タイミング発生回路５５および各回路ブロックに必要な電源を供給する電源回路（図示せず）を備えている。概略としての回路構成は、プラズマディスプレイ装置１と同様であるが、プラズマディスプレイ装置２では、Ｓｃｎ電極駆動回路６３およびＳｕｓ電極駆動回路６４にその特徴を有する。
【００８６】
１−１．Ｓｃｎ電極駆動回路６３
図９に示すように、本実施の形態に係るプラズマディスプレイ装置２のＳｃｎ電極駆動回路６３は、維持パルスを発生するための維持パルス発生回路１００、初期化期間において傾斜波形電圧を発生させるための初期化波形発生回路１８０、書込み期間において走査パルスを発生させる走査パルス発生回路１５０を有し、タイミング発生回路５５からのタイミング信号に基づいて各スキャン電極Ｓｃｎ（１）〜Ｓｃｎ（ｎ）をそれぞれ駆動する。
【００８７】
本実施の形態２に係るプラズマディスプレイ装置２のＳｃｎ電極駆動回路６３が上記実施の形態１に係るプラズマディスプレイ装置１のＳｃｎ電極駆動回路５３と異なるところは、初期化期間においてスキャン電極Ｓｃｎ（１）〜Ｓｃｎ（ｎ）に対し傾斜波形電圧を印加するために設けられている初期化波形発生回路１８０の駆動回路である。
図１０に示すように、Ｓｃｎ電極駆動回路６３の初期化波形発生回路１８０は、スイッチング素子Ｑ１８１とコンデンサＣ１８１と抵抗Ｒ１８１とを有し電圧Ｖｉ２の電源に接続されたミラー積分回路ＭＩ１８１と、スイッチング素子Ｑ１９２とコンデンサＣ１９２と抵抗Ｒ１９２とを有し電圧Ｖｉ４の電源に接続されたミラー積分回路ＭＩ１９２と、スイッチング素子Ｑ１８２を用いた分離回路およびスイッチング素子Ｑ１９１を用いた分離回路を備える。
【００８８】
１−２．Ｓｕｓ電極駆動回路６４
図９に示すように、Ｓｕｓ電極駆動回路６４は、維持期間において維持電極Ｓｕｓ（１）〜Ｓｕｓ（ｎ）に印加する維持パルスを発生するための維持パルス発生回路２００、初期化期間において傾斜波形電圧を発生させるための初期化波形発生回路２８０、書込み期間において電圧Ｖｅを発生させる電圧印加回路２５０を有し、タイミング発生回路５５からのタイミング信号に基づいてサスティン電極Ｓｕｓ（１）〜Ｓｕｓ（ｎ）を駆動する。
【００８９】
本実施の形態２に係るプラズマディスプレイ装置２のＳｕｓ電極駆動回路６４が上記実施の形態１に係るプラズマディスプレイ装置１のＳｕｓ電極駆動回路５４と異なるところは、初期化期間においてサスティン電極Ｓｕｓ（１）〜Ｓｕｓ（ｎ）に対し傾斜波形電圧を印加するために設けられている初期化波形発生回路２８０の駆動回路である。
図１１に示すように、本実施の形態２に係るＳｕｓ電極駆動回路６４の初期化波形発生回路２８０は、上記Ｓｃｎ電極駆動回路６３における初期化波形発生回路１８０と同様の構成を有する。即ち、初期化波形発生回路２８０は、スイッチング素子Ｑ２８１とコンデンサＣ２８１と抵抗Ｒ２８１とを有し電圧Ｖｉ２の電源に接続されたミラー積分回路ＭＩ２８１と、スイッチング素子Ｑ２９２とコンデンサＣ２９２と抵抗Ｒ２９２とを有し電圧Ｖｉ４の電源に接続されたミラー積分回路ＭＩ２９２と、スイッチング素子Ｑ２８２を用いた分離回路およびスイッチング素子Ｑ２９１を用いた分離回路を備える。
【００９０】
２．プラズマディスプレイ装置２の駆動方法
実施の形態２が上記実施の形態１と大きく異なるところは、その駆動における全セル初期化期間にパネル部１０の各電極Ｓｃｎ、Ｓｕｓ、Ｄａｔに印加する各駆動電圧波形である。これについて、図１２を用い説明する。図１２は、本実施の形態２に係るプラズマディスプレイ装置２の駆動において、パネル部１０の各電極Ｓｃｎ、Ｓｕｓ、Ｄａｔに印加される駆動電圧波形を示す波形図である。なお、ここでも全セル初期化期間を便宜上２つに分けて、前半部、後半部と呼称し、それぞれについて説明する。
【００９１】
（ａ）前半部
図１２に示すように、全セル初期化期間の前半部では、データ電極Ｄａｔ（１）〜Ｄａｔ（ｍ）に対し０［Ｖ］を印加し、サスティン電極Ｓｕｓ（１）〜Ｓｕｓ（ｎ）およびスキャン電極Ｓｃｎ（１）〜Ｓｃｎ（ｎ）に対し、データ電極Ｄａｔ（１）〜Ｄａｔ（ｍ）との間でに対して放電開始電圧未満の電圧Ｖｉ１から、放電開始電圧以上となる電圧Ｖｉ２まで緩やかに上昇する上り傾斜波形電圧を印加する。
【００９２】
上記スキャン電極Ｓｃｎ（１）〜Ｓｃｎ（ｎ）に対し印加される上り傾斜波形電圧が上昇する間に、スキャン電極Ｓｃｎ（１）〜Ｓｃｎ（ｎ）とデータ電極Ｄａｔ（１）〜Ｄａｔ（ｍ）との間、および、サスティン電極Ｓｕｓ（１）〜Ｓｕｓ（ｎ）とデータ電極Ｄａｔ（１）〜Ｄａｔ（ｍ）との各間でそれぞれ微弱な初期化放電が発生する。そして、スキャン電極Ｓｃｎ（１）〜Ｓｃｎ（ｎ）上部およびサスティン電極Ｓｕｓ（１）〜Ｓｕｓ（ｎ）上部に負極性の壁電圧が蓄積されるとともに、データ電極Ｄａｔ（１）〜Ｄａｔ（ｍ）上部には正極性の壁電圧が蓄積される。ここで、電極上部の壁電圧とは電極を覆う誘電体層上、保護層上、蛍光体層上等に蓄積された壁電荷により生じる電圧を表す。
【００９３】
なお、上記において「緩やかに上昇する上り傾斜波形電圧」とは、０．５［Ｖ／μｓｅｃ．］〜５．０［Ｖ／μｓｅｃ．］の範囲の電圧変化率を有する波形電圧である。
このように、本実施の形態２に係る駆動方法では、全セル初期化期間の前半部において、緩やかに上昇する上り傾斜波形電圧をスキャン電極Ｓｃｎ（１）〜Ｓｃｎ（ｎ）およびサスティン電極Ｓｕｓ（１）〜Ｓｕｓ（ｎ）の各々に対し印加し、これによりスキャン電極Ｓｃｎ（１）〜Ｓｃｎ（ｎ）とデータ電極Ｄａｔ（１）〜Ｄａｔ（ｍ）との間、およびサスティン電極Ｓｕｓ（１）〜Ｓｕｓ（ｎ）とデータ電極Ｄａｔ（１）〜Ｄａｔ（ｍ）との間でそれぞれ微弱な初期化放電を発生させるが、スキャン電極Ｓｃｎ（１）〜Ｓｃｎ（ｎ）とサスティン電極Ｓｕｓ（１）〜Ｓｕｓ（ｎ）との間では初期化放電は発生させない。
【００９４】
（ｂ）後半部
全セル初期化期間の後半部では、スキャン電極Ｓｃｎ（１）〜Ｓｃｎ（ｎ）およびサスティン電極Ｓｕｓ（１）〜Ｓｕｓ（ｎ）に対して、データ電極Ｄａｔ（１）〜Ｄａｔ（ｍ）との間で放電開始電圧未満の電圧Ｖｉ３から、放電開始電圧以上となる電圧Ｖｉ４まで緩やかに下降する下り傾斜波形電圧を印加する。この間に、スキャン電極Ｓｃｎ（１）〜Ｓｃｎ（ｎ）とデータ電極Ｄａｔ（１）〜Ｄａｔ（ｍ）との間、および、サスティン電極Ｓｕｓ（１）〜Ｓｕｓ（ｎ）とデータ電極Ｄａｔ（１）〜Ｄａｔ（ｍ）との間でそれぞれ微弱な初期化放電が発生する。そして、スキャン電極Ｓｃｎ（１）〜Ｓｃｎ（ｎ）上部およびサスティン電極Ｓｕｓ（１）〜Ｓｕｓ（ｎ）上部の負極性の壁電圧と、データ電極Ｄａｔ（１）〜Ｄａｔ（ｍ）上部の正極性の壁電圧とが書込み動作に適した値に調整される。
【００９５】
なお、上記「緩やかに下降する下り傾斜波形電圧」とは、上記実施の形態１と同様に、 １．０［Ｖ／μｓｅｃ．］〜１０．０［Ｖ／μｓｅｃ．］の範囲の電圧変化率を有する波形電圧である。
このように、本実施の形態２に係るプラズマディスプレイ装置２の駆動方法では、全セル初期化期間の後半部において、緩やかに下降する下り傾斜波形電圧をスキャン電極Ｓｃｎ（１）〜Ｓｃｎ（ｎ）とサスティン電極Ｓｕｓ（１）〜Ｓｕｓ（ｎ）に印加して、スキャン電極Ｓｃｎ（１）〜Ｓｃｎ（ｎ）とデータ電極Ｄａｔ（１）〜Ｄａｔ（ｍ）との間、および、サスティン電極Ｓｕｓ（１）〜Ｓｕｓ（ｎ）とデータ電極Ｄａｔ（１）〜Ｄａｔ（ｍ）との間でそれぞれ微弱な初期化放電を発生させるが、スキャン電極Ｓｃｎ（１）〜Ｓｃｎ（ｎ）とサスティン電極Ｓｕｓ（１）〜Ｓｕｓ（ｎ）との間では初期化放電は発生させない。
【００９６】
以上により、全ての放電セルに対して初期化放電を行う全セル初期化動作が終了する。
続く書込み期間および維持期間における各動作は、上記実施の形態１に係る駆動方法と〃であるので、説明を省略する。
このように、本実施の形態におけるプラズマディスプレイ装置２の駆動方法の特徴は、初期化期間の前半部および後半部の両方において、放電開始電圧の低いスキャン電極Ｓｃｎ（１）〜Ｓｃｎ（ｎ）とデータ電極Ｄａｔ（１）〜Ｄａｔ（ｍ）との間、および、同じく放電開始電圧の低いサスティン電極Ｓｕｓ（１）〜Ｓｕｓ（ｎ）とデータ電極Ｄａｔ（１）〜Ｄａｔ（ｍ）との間で初期化放電を発生させ、スキャン電極Ｓｃｎ（１）〜Ｓｃｎ（ｎ）とサスティン電極Ｓｕｓ（１）〜Ｓｕｓ（ｎ）との間では初期化放電は発生させないところである。
【００９７】
本実施の形態に係る駆動方法では、スキャン電極Ｓｃｎ（１）〜Ｓｃｎ（ｎ）とサスティン電極Ｓｕｓ（１）〜Ｓｕｓ（ｎ）とには、同相の駆動電圧波形を印加しており、特に本実施の形態においては同じ波形の駆動電圧波形を印加している。そして、本実施の形態に係る駆動方法では、初期化期間において、放電開始電圧が高く、且つ、放電ギャップ長が長いために不安定となりやすいスキャン電極Ｓｃｎ（１）〜Ｓｃｎ（ｎ）とサスティン電極Ｓｕｓ（１）〜Ｓｕｓ（ｎ）との放電を避けることで、放電ギャップ長の長いパネルであっても安定した初期化放電を発生させることができる。
【００９８】
また、全セル初期化動作を１ＴＶフィールド期間に１回しか割り付けず、且つ、緩やかに変化する傾斜波形電圧を用いて初期化放電させるので、コントラストの高い画像を表示することができる。
なお、スキャン電極Ｓｃｎ（１）〜Ｓｃｎ（ｎ）とデータ電極Ｄａｔ（１）〜Ｄａｔ（ｍ）との間の初期化放電、および、サスティン電極Ｓｕｓ（１）〜Ｓｕｓ（ｎ）とデータ電極Ｄａｔ（１）〜Ｄａｔ（ｍ）との間の初期化放電のみを個別に行った場合には、詳しい理由は不明であるが、スキャン電極Ｓｃｎ（１）〜Ｓｃｎ（ｎ）とサスティン電極Ｓｕｓ（１）〜Ｓｕｓ（ｎ）との間に電位差が発生すると、この電位差を初期化することができずに誤放電が発生する可能性がある。
【００９９】
しかし、本実施の形態２に係るプラズマディスプレイ装置２の駆動方法では、上記のような誤放電は発生しないことが確認されている。これは、本実施の形態２に係る駆動方法が、スキャン電極Ｓｃｎ（１）〜Ｓｃｎ（ｎ）とデータ電極Ｄａｔ（１）〜Ｄａｔ（ｍ）との間の初期化放電、および、サスティン電極Ｓｕｓ（１）〜Ｓｕｓ（ｎ）とデータ電極Ｄａｔ（１）〜Ｄａｔ（ｍ）との間の初期化放電を同時に発生させているため、このとき発生したプライミング粒子（荷電粒子）がスキャン電極Ｓｃｎ（１）〜Ｓｃｎ（ｎ）とサスティン電極Ｓｕｓ（１）〜Ｓｕｓ（ｎ）との間の電位差を緩和するためであると考えることができる。
【０１００】
本実施の形態２に係るプラズマディスプレイ装置２の駆動方法は、従来と同様の構成を有するパネル部を有するプラズマディスプレイ装置に適用することはもちろん可能であるが、上記実施の形態１と同様に、表示電極対２２の間の放電ギャップを従来のパネル部の放電ギャップ長よりも長くした構成のパネル部や、従来のパネル部よりもキセノン分圧を高めたパネル部を有するプラズマディスプレイ装置に対して適用した場合に特に有効である。
【０１０１】
３．全セル初期化期間におけるＳｃｎ電極駆動回路６３およびＳｕｓ電極駆動回路６４の駆動動作
本実施の形態に係る駆動方法において、全セル初期化期間に図１２に示す駆動電圧波形を発生させるためのＳｃｎ電極駆動回路６３およびＳｕｓ電極駆動回路６４の動作について、図１３を併用して説明する。なお、本実施の形態２に係る駆動方法では、全セル初期化期間においてスキャン電極Ｓｃｎ（１）〜Ｓｃｎ（ｎ）、サスティン電極Ｓｕｓ（１）〜Ｓｕｓ（ｎ）に印加する電圧Ｖｉ１は電圧Ｖｓに等しく、電圧Ｖｉ３も電圧Ｖｓに等しいものとして説明する。
【０１０２】
（ａ）前半部
図１２および図１３に示すように、全セル初期化期間の前半部におけるタイミングｔ３１に、Ｓｃｎ電極駆動回路６３は、まずスイッチング素子Ｑ１１１、Ｑ１８２、Ｑ１９１、ＱＬ１〜ＱＬｎを”ＯＮ”にし、これらスイッチング素子Ｑ１１１、Ｑ１８２、Ｑ１９１、ＱＬ１〜ＱＬｎを介してスキャン電極Ｓｃｎ（１）〜Ｓｃｎ（ｎ）に電圧Ｖｓ（＝Ｖｉ１）を印加する（図１３のタイミングｔ３２までの部分を参照）。
【０１０３】
その後タイミングｔ３２において、Ｓｃｎ電極駆動回路６３は、スイッチング素子Ｑ１１１、Ｑ１８２を”ＯＦＦ”にするとともに、スイッチング素子Ｑ１８１を”ＯＮ”にし、これによりコンデンサＣ１８１と抵抗Ｒ１８１で構成されるミラー積分回路ＭＩ１８１を”ＯＮ”にする。当該動作の実行により、タイミングｔ３２からは、スキャン電極Ｓｃｎ（１）〜Ｓｃｎ（ｎ）に対し、電圧Ｖｓから電圧Ｖｉ２に向かって緩やかに上昇する上り傾斜波形電圧が印加される（図１３のタイミングｔ３２〜ｔ３３の部分を参照）。なお、「緩やかに上昇する上り傾斜波形電圧」とは、上述の通り、０．５［Ｖ／μｓｅｃ．］〜５．０［Ｖ／μｓｅｃ．］の範囲の電圧変化率で上昇する傾斜波形電圧をいう。
【０１０４】
タイミングｔ３１において、Ｓｕｓ電極駆動回路６４も、上記Ｓｃｎ電極駆動回路６３と同様に、スイッチング素子Ｑ２１１、Ｑ２８２、Ｑ２９１を”ＯＮ”にし、これによりこれらスイッチング素子Ｑ２１１、Ｑ２８２、Ｑ２９１を介してサスティン電極Ｓｕｓ（１）〜Ｓｕｓ（ｎ）に電圧Ｖｓを印加する（図１３のタイミングｔ３２までの部分を参照）。
【０１０５】
この後タイミングｔ３２において、スイッチング素子Ｑ２１１、Ｑ２８２を”ＯＦＦ”にするとともに、スイッチング素子Ｑ２８１を”ＯＮ”にすることによりコンデンサＣ２８１と抵抗Ｒ２８１で構成されるミラー積分回路ＭＩ２８１を”ＯＮ”にして、サスティン電極Ｓｕｓ（１）〜Ｓｕｓ（ｎ）に対し電圧Ｖｉ１から電圧Ｖｉ２に向かって緩やかに上昇する上り傾斜波形電圧を印加する（図１３のタイミングｔ３１〜ｔ３３の部分を参照）。ここでの「緩やかに上昇する上り傾斜波形電圧」についても、上記同様、０．５［Ｖ／μｓｅｃ．］〜５．０［Ｖ／μｓｅｃ．］の範囲の電圧変化率で上昇する傾斜波形電圧をいう。
【０１０６】
（ｂ）後半部
全セル初期化期間の後半部のタイミングｔ３３において、Ｓｃｎ電極駆動回路６３は、スイッチング素子Ｑ１８１を”ＯＦＦ”にするとともに、スイッチング素子Ｑ１１１、Ｑ１８２を”ＯＮ”にし、これによりスキャン電極Ｓｃｎ（１）〜Ｓｃｎ（ｎ）に電圧Ｖｓ（＝Ｖｉ３）を印加し、その後タイミングｔ３４において、スイッチング素子Ｑ１１１、Ｑ１８２、Ｑ１９１を”ＯＦＦ”にするとともに、スイッチング素子Ｑ１９２を”ＯＮ”にし、これによりコンデンサＣ１９２と抵抗Ｒ１９２で構成されるミラー積分回路ＭＩ１９２を”ＯＮ”し、スキャン電極Ｓｃｎ（１）〜Ｓｃｎ（ｎ）に電圧Ｖｓから電圧Ｖｉ４に向かって緩やかに下降する下り傾斜波形電圧を印加する（図１３のタイミングｔ３３〜ｔ３５の部分を参照）。
【０１０７】
上記において、電圧Ｖｓから電圧Ｖｉ４に向かって下降する電圧波形の傾き（電圧変化率）は、上記同様、１．０［Ｖ／μｓｅｃ．］〜１０．０［Ｖ／μｓｅｃ．］の範囲である。
タイミングｔ３３において、Ｓｕｓ電極駆動回路６４も、上記Ｓｃｎ電極駆動回路６３と同様に、スイッチング素子Ｑ２８１を”ＯＦＦ”にするとともに、スイッチング素子Ｑ２１１、Ｑ２８２を”ＯＮ”にし、これによりサスティン電極Ｓｕｓ（１）〜Ｓｕｓ（ｎ）に電圧Ｖｓ（＝Ｖｉ３）を印加し、その後タイミングｔ３４において、スイッチング素子Ｑ２１１、Ｑ２８２、Ｑ２９１を”ＯＦＦ”にするとともに、スイッチング素子Ｑ２９２を”ＯＮ”にし、これによりコンデンサＣ２９２と抵抗Ｒ２９２で構成されるミラー積分回路ＭＩ２９２を”ＯＮ”し、サスティン電極Ｓｕｓ（１）〜Ｓｕｓ（ｎ）に電圧Ｖｓから電圧Ｖｉ４に向かって緩やかに下降する下り傾斜波形電圧を印加する（図１３のタイミングｔ３３〜ｔ３５の部分を参照）。
【０１０８】
続く書込み期間の動作は、上記実施の形態１に係る駆動方法での動作と同様である。また、Ｓｃｎ電極駆動回路６３の初期化波形発生回路１８０がスイッチング素子Ｑ１８２、Ｑ１９１を用いた分離回路を備え、Ｓｕｓ電極駆動回路６４の初期化波形発生回路２８０がスイッチング素子Ｑ２８２、Ｑ２９１を用いた分離回路を備えることに留意すれば、維持期間の動作も、上記実施の形態１に係る駆動方法での動作と同様である。
【０１０９】
以上のようにして、図９〜図１１に示した駆動回路を用いて、図１２に示した駆動電圧波形をパネル部１０の各電極Ｓｃｎ、Ｓｕｓ、Ｄａｔに印加することができる。
本実施の形態２に係るプラズマディスプレイ装置２の駆動方法おいては、全セル初期化期間においてスキャン電極Ｓｃｎ（１）〜Ｓｃｎ（ｎ）とサスティン電極Ｓｕｓ（１）〜Ｓｕｓ（ｎ）とに印加する電圧が実質的に同じ駆動電圧波形であるので、Ｓｃｎ電極駆動回路６３およびＳｕｓ電極駆動回路６４の維持パルス発生回路１００、２００を同じ構成の回路で構成し、初期化波形発生回路１８０、２８０を同じ構成の回路で構成することができる。ここで、「実質的に同じ駆動電圧波形」とは、スキャン電極Ｓｃｎ（１）〜Ｓｃｎ（ｎ）とサスティン電極Ｓｕｓ（１）〜Ｓｕｓ（ｎ）に印加される電圧波形の傾斜（電圧変化率）が、上記のように１．０［Ｖ／μｓｅｃ．］〜１０．０［Ｖ／μｓｅｃ．］の範囲に属し、且つ、スキャン電極Ｓｃｎ（１）〜Ｓｃｎ（ｎ）とサスティン電極Ｓｕｓ（１）〜Ｓｕｓ（ｎ）に印加される電圧波形によって、スキャン電極Ｓｃｎ（１）〜Ｓｃｎ（ｎ）とサスティン電極Ｓｕｓ（１）〜Ｓｕｓ（ｎ）との間で初期化放電を発生させることなく、スキャン電極Ｓｃｎ（１）〜Ｓｃｎ（ｎ）とデータ電極Ｄａｔ（１）〜Ｄａｔ（ｍ）、およびサスティン電極Ｓｕｓ（１）〜Ｓｕｓ（ｎ）とデータ電極Ｄａｔ（１）〜Ｄａｔ（ｍ）との間で初期化放電を発生させることができる波形であればよい、ということを意味する。
【０１１０】
（その他の事項）
なお、実施の形態１および実施の形態２では、１ＴＶフィールド内における最初のサブフィールド（第１ＳＦ）の全セル初期化期間を割り付けることとし、続くサブフィールド以降（第２ＳＦ〜）のサブフィールドに選択初期化期間を割り付けるサブフィールド構成を一例に挙げて説明したが、本発明は、必ずしもこのサブフィールド構成に限定されるものではない。例えば、１ＴＶフィールドにおける複数のサブフィールドに全セル初期化期間を割り付けることとする等、上記実施の形態１、２以外のサブフィールド構成を採用することにしても、上記と同様の作用・効果を得ることができる。
【０１１１】
また、上記実施の形態１および実施の形態２において用いた具体的な各数値は、単に採り得ることができる数値の一例を挙げたに過ぎず、パネル特性やプラズマディスプレイ装置の仕様等に合わせて、適宜最適な値に設定することが望ましい。
また、上記実施の形態１、２の各駆動方法においては、全セル初期化期間におけるスキャン電極Ｓｃｎ（１）〜Ｓｃｎ（ｎ）への傾斜波形電圧の印加タイミングと、サスティン電極Ｓｕｓ（１）〜Ｓｕｓ（ｎ）への傾斜波形電圧の印加タイミングとを同一タイミングとして設定したが、実質的に同一のタイミングであればよく、−５．０［μｓｅｃ．］〜５．０［μｓｅｃ．］の時間的なズレは許容される。
【０１１２】
また、図１に示すように、上記実施の形態１、２の各パネル部１０においては、スキャン電極Ｓｃｎおよびサスティン電極Ｓｕｓが金属線だけからなる構成としているが、ＩＴＯ（Ｉｎｄｉｕｍ  Ｔｉｎ  Ｏｘｉｄｅ）などからなる公知の透明電極に金属材料からなるバス電極を積層させた構成を採用することもできる。他のパネル部１０の構成についても、適宜、その変更が可能であり、その場合にも、上記同様の作用・効果を得ることができる。
【０１１３】
さらに、図６に示すように、上記実施の形態１、２の駆動方法では、維持期間におけるデータ電極Ｄａｔ（１）〜Ｄａｔ（ｍ）の電位を接地電位（０［Ｖ］）にすることとしたが、本発明は、これに限定を受けるものではない。たとえば、維持期間において、スキャン電極Ｓｃｎ（１）〜Ｓｃｎ（ｎ）およびサスティン電極Ｓｕｓ（１）〜Ｓｕｓ（ｎ）への維持パルスの印加に連動させて、データ電極Ｄａｔ（１）〜Ｄａｔ（ｍ）に対し維持パルスと同極性の細幅パルスを印加することとしてもよい。
【産業上の利用可能性】
【０１１４】
本発明は、高い発光効率を実現しながら、安定した初期化放電を発生し、高品質なプラズマディスプレイ装置を実現するのに有用である。
【図面の簡単な説明】
【０１１５】
【図１】実施の形態１に係るプラズマディスプレイ装置１が備えるパネル部１０の一部構成を示す斜視図（一部断面図）である。
【図２】パネル部１０における電極Ｓｃｎ、Ｓｕｓ、Ｄａｔの配列を示す模式平面図である。
【図３】プラズマディスプレイ装置１の構成を示す回路ブロック図である。
【図４】プラズマディスプレイ装置１におけるＳｃｎ電極駆動回路５３を示す回路図である。
【図５】プラズマディスプレイ装置１におけるＳｕｓ電極駆動回路５４を示す回路図である。
【図６】プラズマディスプレイ装置１の駆動において、各電極Ｓｃｎ、Ｓｕｓ、Ｄａｔに印加される電圧波形を示す電圧波形図である。
【図７】プラズマディスプレイ装置１の駆動において、Ｓｃｎ電極駆動回路５３およびＳｕｓ電極駆動回路５４の各々のスイッチング素子Ｑ１１１〜Ｑ２５１の開閉動作を示すタイミングチャートである。
【図８】プラズマディスプレイ装置１の駆動において、初期化期間に発生する初期化放電を模式的に表す模式平面図である。
【図９】プラズマディスプレイ装置２の構成を示す回路ブロック図である。
【図１０】プラズマディスプレイ装置２におけるＳｃｎ電極駆動回路６３を示す回路図である。
【図１１】プラズマディスプレイ装置２におけるＳｕｓ電極駆動回路６４を示す回路図である。
【図１２】プラズマディスプレイ装置２の駆動において、初期化期間に各タイミング毎に電極Ｓｃｎ、Ｓｕｓ、Ｄａｔに各々印加される電圧波形を示す電圧波形図である。
【図１３】プラズマディスプレイ装置２の駆動において、Ｓｃｎ電極駆動回路６３およびＳｕｓ電極駆動回路５４の各々のスイッチング素子Ｑ１１１〜Ｑ２５１の開閉動作を示すタイミングチャートである。
【符号の説明】
【０１１６】
１、２．プラズマディスプレイ装置
１０．パネル部
２０．前面パネル
２１．前面基板
２２．表示電極対
２３．誘電体層
２４．保護層
３０．背面パネル
３１．背面基板
３３．誘電体層
３５．隔壁
３６．蛍光体層
４０．放電空間
５１．画像信号処理回路
５２．データ電極駆動回路
５３、６３．Ｓｃｎ電極駆動回路
５４、６４．Ｓｕｓ電極駆動回路
５５．タイミング発生回路
１００、２００．維持パルス発生回路
１１０、２１０．クランプ部
１２０、２２０．電力回収部
１３０、１８０、２３０、２８０．初期化波形発生回路
１５０．走査パルス発生回路
２５０．電圧印加部
Ｓｃｎ．スキャン電極
Ｓｕｓ．サスティン電極
Ｄａｔ．データ電極
【図１】
2008170733.tif 000003
【図２】
2008170733.tif 000004
【図３】
2008170733.tif 000005
【図４】
2008170733.tif 000006
【図５】
2008170733.tif 000007
【図６】
2008170733.tif 000008
【図７】
2008170733.tif 000009
【図８】
2008170733.tif 000010
【図９】
2008170733.tif 000011
【図１０】
2008170733.tif 000012
【図１１】
2008170733.tif 000013
【図１２】
2008170733.tif 000014
【図１３】
2008170733.tif 000015